(57)【要約】【課題】多機能ＩＣカードがどのような機能を有しているかを利用者が専用の端末より内容を読み込ませること無しに一目で判別できるようにカード表面に絵記号や文字を印字することにある。【解決手段】カードスタック部と印字部、エンボスエンコード部および磁気情報書き込み部、ＩＣチップ情報書き込み部、タッチパネル式のユーザ操作パネルを備え、多機能ＩＣカードに対し、登録可能な機能を操作画面で追加削除の指示を行い、その指示内容に従いＩＣチップの情報を登録すると同時にカード表面にカード機能を表す絵記号を追加印字する新しいカードを発行するＩＣカード発行装置。【選択図】  図１
2004302719.tif 000002
【特許請求の範囲】
【請求項１】
新規なＩＣカードを収納するカードスタック部と、前記カードスタック部から繰り出されたＩＣカードのある領域に印字する印字部と、ＩＣカードのＩＣチップに情報を書き込む書き込み部と、利用者へのガイダンスを表示すると共に操作を検知する操作部と、前記操作部によりＩＣカードの発行を検知し且つＩＣカードに記憶可能な機能が選択されたとき、前記カードスタック部からのＩＣカードの発行処理及び発行されたＩＣカードの特定領域に前記操作部より選択された機能を前記印字部により印字する印字処理及び前記操作部より選択された機能に関する情報を前記書き込み部によりＩＣチップに書き込む書き込み処理とを実行する制御部とを有するＩＣカード発行装置。
【請求項２】
請求項１のＩＣカード発行装置において、前記操作部よりＩＣカードの更新が選択され且つある種の機能の追加が選択されたとき、前記制御部は、挿入されるＩＣカードの前記特定領域に余白があることを判断し、追加選択された機能を前記余白に前記印字部により印字すると共にその追加選択された機能に関する情報を前記書き込み部によりＩＣチップに書き込むことを特徴とするＩＣカード発行装置。
取捨選択可能なＩＣカードの機能を操作画面で指示した内容に従いＩＣチップの情報を更新すると同時にカード表面のそのカード機能を表す記号を余白エリアが無くなること検知すると、自動的に古いカードを回収して、より多くの機能を印字できる印字フォーマットに変更した新しいＩＣカードを再発行するか古いカードもそのまま使用可能として、追加のカードを新たに発行できることを特徴としたＩＣカード発行装置。
【請求項３】
請求項１又は２記載のＩＣカード発行装置において、前記印字部により機能を印字する印字処理は、ＩＣカードの表面に利用可能な機能を表す内容の印字フォーマットを利用可能機能数により可変する処理を含むことを特徴とするＩＣカード発行装置。
【請求項４】
請求項１乃至３の何れかの項記載のＩＣカード発行装置において、前記印字部により機能を印字する印字処理は、利用可能機能数が少ない場合は大きい記号等を印字するフォーマットとし、機能追加に従い印字エリアが無くなった場合、いままで印字されていた機能に関連の記号等は小さくし且つ新規に追加された機能の記号等が大きくなるフォーマットに変更する処理を含むことを特徴とするＩＣカード発行装置。
【発明の詳細な説明】
【０００１】
【発明の属する技術分野】
本発明は、鉄道業界や金融業界、自治体、公衆電話やスーパー、デパート、コンビニエンスストア、高速道路のノンステップ自動料金収受システムなどにて活用されているＩＣチップ内蔵のキャッシュカードやクレジットカード、ポイントカードなどの多機能ＩＣカード分野に関する。
【０００２】
【従来の技術】
従来のカードは１用途につき１枚のカードが必要であったが、ＩＣカードの実現によりＩＣチップ内蔵によりＣＰＵや各種メモリを利用して複数の用途に使用できる多機能カードを容易に作成できるようになった。例えば、特許文献１ではＩＣカードの内部に複数のアプリケーションを記憶させると共にそのカード表面及び裏面にアプリケーション名の印字を行い、カードを複数のシステムに共通に使用できるＩＣカードとその処理装置を開示する。
【０００３】
【特許文献１】
特開平１１−３９４４５号公報
【０００４】
【発明が解決しようとする課題】
しかしながら、上記従来例のおけるＩＣカード表面の面積が小さい為、機能を表す記号や文字の数も限られており、記号を小さくすると視認性が向上するが機能数の制限され、機能数を増やすと視認性が低下するといった相反する問題があった。
【０００５】
また、機能数がオーバーフローすると追加カードを発行する必要があるが、申し込み申請してからカードを発送する必要があるため更新手続きに何日も待たなければならないという問題があった。
【０００６】
すなわち、本発明の目的は第１に、多機能ＩＣカードがどのような機能を有しているかを利用者が専用の端末より内容を読み込ませること無しに一目で判別できるようにカード表面に絵記号や文字を印刷できるＩＣカード発行端末を提供することにある。
【０００７】
第２に、カード表面の印字エリアが無くなると追加のカードを発行しなければならないが、新規カードの発行や更新手続きに何日も待たずに済むＩＣカード発行装置を提供することにある。
【０００８】
第３に、カード表面の小さい機能を表す記号や文字を小さくすると視認性が向上するが機能数の制限され、機能数を増やすと視認性が低下するといった相反する問題に対し、カード表面に絵記号や文字を、利用者のＩＣカード機能確認の使い勝手を損なわずに、限られたカード表面の面積上に如何に効率よく印字することにある。
【０００９】
【課題を解決するための手段】
上記目的の少なくとも１つを達成するため、本発明は、特に、多機能ＩＣカードに対し、登録可能な機能を操作画面で追加削除の指示を行い、その指示内容に従いＩＣチップの情報を登録すると同時にカード表面にカード機能を表す絵記号を追加印字する新しいカードを発行するＩＣカード発行装置を提供することにある。
これにより、多機能ＩＣカードがどのような機能を有しているかを利用者が専用の端末より内容を読み込ませること無しにカード表面に印字された記号や文字を確認することにより容易に判別できるようになる。
【００１０】
【発明の実施の形態】
以下、本発明の実施の形態を詳細に説明する。
図１は、本発明のＩＣカード発行端末内におけるカード発行ユニットのハード構成を示す図である。カード発行機構（又は装置、端末）１０１は、新規なＩＣカードを収納する新規カードスタッカ部１０２と、廃棄すべきカードを収納する廃棄カードスタッカ部１０３と、カードの表面又は裏面に印字を施す印字部１０４とを有する。更に、ＩＣカードに含まれるＩＣチップの情報の読み取り又は書き込みを実行するＩＣチップ情報リードライト部１０５と、カードに含まれる磁気ストライプの情報を読み書きする磁気情報リードライト部１０６と、カードを搬送するカード搬送路１０７、カードのエンボスを加工するエンボス加工部１０８があり、これら各ユニットを制御する制御部も有する。なお、制御部は、ＣＰＵ、メモリ等により構成される。
【００１１】
カードの新規発行時は、新規カードスタッカ部１０２より登録情報が空のＩＣカードを繰り出し、カード表面印字部１０４でＩＣカード表面にカード名称やカードに付与したオプション機能を表す文字や記号を印字する。また加工部１０８にて氏名や有効期限、カード番号を加工し、ＩＣチップ情報リードライト部１０５にてＩＣチップのメモリへカード情報および個人認証に関わるセキュリティ情報を書き込み、磁気情報リードライト部１０６にて磁気ストライプ部に同様の情報の書き込みを行い発行口よりカード１０９を排出する。
【００１２】
カード情報更新時は挿入口より挿入されたＩＣカード１０９を、ＩＣチップ情報リードライト部１０５にてカード情報を読み取り、本体装置の操作入力にて変更されたカード情報をＩＣカードに反映させるため、本体から送られたコマンドに従い、ＩＣチップ情報リードライト部１０５にてＩＣチップのメモリへカード情報および個人認証に関わるセキュリティ情報の書き込みを行い、磁気情報リードライト部１０６にて磁気ストライプ部に同様の情報の書き込みを行う。そして、カード表面印字部１０４でＩＣカード表面に新たにカードに付与されたオプション機能を表す文字や記号を印字して発行口よりカードを排出する。
【００１３】
図２は、本発明のＩＣカード発行端末の外観を示す図である。カード発行装置本体２０１，カード挿入口２０２，ステートメント発行口２０３，証明書読み取り部２０４，個人証明書置き場２０５，タッチパネル式操作画面（表示部とも言う）２０６を備える。なお、カード挿入口２０２の装置内部に図１に示すハード構成を有する。また、カード挿入口２０２よりＩＣカードを排出することから、挿入／排出口とも言う。勿論、新規にカードを発行する場合もこの口よりカードを発行する。
ステートメント発行口２０３は取引明細票の発行口であり、チケットやクーポンを発行することができる。タッチパネル式操作画面（または表示部）２０６は利用者へのガイダンス表示や、カードの機能選択などの入力が可能である。証明書読み取り部２０４は，個人証明書置き場２０５におかれた免許証や保険証など個人の各種証明書の画像を読み取り，このイメージ情報をもとにカードの発行可否を判定する。またこの画像読み取り部は、タッチパネル手続きが苦手な利用者のために申込用紙の手書き文字を読み取り手続き処理を可能としている。
【００１４】
図３は、本発明のＩＣカード端末のネットワーク構成を示す図である。データベースを含むサーバ３０５を中心に，各種店舗や駅などに設置されるカード受付端末３０１および清算機３０２、鉄道の券片等を発行する発券機３０４、金融機関に設置されるＡＴＭ３０３，同じく商店や銀行の店舗や街角に設置される複数のカード発行装置３０７が電話回線や専用回線、インターネット等のネットワーク回線３０６を通じて接続されている。
カード発行装置３０７で発行されたＩＣカードは銀行のＡＴＭ３０３や各種店舗や駅などに設置されるカード受付端末３０１および清算機３０２、発券機３０４にて使用可能である。しかし、それぞれの利用を可能とするためには利用料を払うなどしてＩＣカードに機能を付与する必要がある。ＩＣカードの機能追加削除はカード受付端末３０１や、ＩＣカード発行装置３０７にて可能である。
【００１５】
図４から図６は各種のフォーマットタイプを示す多機能ＩＣカードのレイアウトの一例を示す。これらフォーマットのそれぞれはＩＣカード表面（裏面でも可）に印字される印字部４０７にて形、大きさ、数などが最も異なる態様を示す。もちろん、ＩＣカードのＩＣチップ（又は接続端子部４０２）が記憶する複数の、多種類の機能も異なることは言うまでもない。
これら異なるフォーマットを持つＩＣカード４０１は、カード自身の識別子を示すカード番号４０４，カードの有効期限を表す日付欄４０５，カードの所有者と示す氏名欄４０６があり、図１のエンボス加工部１０８にてエンボス加工される。４０２はＩＣチップ又は接続端子部とも呼ばれ、ＩＣチップ情報リードライト部１０５によって読み取り又は書き込みが行われる部位である。
【００１６】
図４〜６の図示からも分かるように、図４のフォーマットでは合計１０個の機能を印字部４０７に印字することができ、図６では２４個の機能を印字することができ、その機能の数と同じくして利用者はＩＣカードの機能を取り扱うことができる。図４はＩＣカードに存在する機能を一目で把握できるため視認性は高いが、その機能の数が１０個と少ない。一方、図６のフォーマットは視認性が図４に比べ低いものの、カードに追加できる機能の数も多いなるとの効果がある。
図５に示すＩＣカードのレイアウトの特徴は、ＩＣカード機能を追加していく上で既に使いなれた機能は多少の視認性を犠牲にして小さなエリアにて印字し、新規に追加した機能については大きなエリアを確保したものである。図４に比べより多くの機能を表す文字や記号を印字でき、図６に比べ視認性が良いフォーマットである。カードに機能追加していくうちに機能表示の印字余白が無くなった場合、図１、２に示すカード発行装置にて自動的にカードを発行し、本フォーマットに変更することで所有カード枚数を増やすことなく、機能追加できる。なお、図４から図６に示すカードフォーマットを順にＡタイプ、Ｂタイプ、Ｃタイプとして説明する。
【００１７】
図８は、図２に示すＩＣカード発行端末の表示部２０６に表示されるカード機能選択画面の一例を示す。本カード機能選択画面の左側に現在ＩＣカードに登録されていて利用可能な機能の一覧が表示されており、右側に追加可能な機能の一覧が表示される。利用者は追加したい機能を右側の追加機能一覧より選択し“追加”ボタンをタッチすることにより追加可能となる。また削除や解約したい機能があれば左側の利用可能機能一覧から不要機能を選択して“削除”ボタンをタッチすることによりＩＣカードの内蔵メモリおよびサーバのユーザ機能情報から削除される。また機能の一覧にある“説明”ボタンをタッチするとその機能についての説明画面を表示できる。ここで機能とは、利用者がＩＣカードを使用して各種の機関で取引、取扱したいものであり、例えば、図４から６に印字される機能には各機関の会社名、またはそのロゴなどが印字される。
【００１８】
図９は、図３のシステムでのサーバ３０５で管理されるカード情報を示すテーブルを示し、各カードに対応してその登録者を示すメンバ名、住所や口座番号、カードにて使用できる各種機能、ＩＣカードのレイアウト（図ではＢタイプ）を表す。
【００１９】
図７は、ＩＣカード発行端末の動作フロチャートの一例を示し、取引の一連の流れについて説明する。なお、これらの動作はＩＣカード発行端末の制御部が主に処理する。
【００２０】
ＩＣカードを新規に発行する場合は、利用者はＩＣカード発行装置のタッチパネル式操作画面２０６で”カード新規発行“を選択するとそれを検知し（Ｓ７０２）、画面２０６に個人情報を入力するガイダンス等を表示する。画面２０６に個人情報が入力または読み取り部２０４により申込書が読み取られると（Ｓ７０３）、利用者は免許証や保険証などの証明書を個人証明書置き場２０５へ置き、その読み取りが実行される（Ｓ７０４）。そしてこれら入力データ又は読み取ったイメージデータはネットワーク３０６を介してサーバ３０５に送信される。サーバ３０５では受信したデータに基づき、予め記憶する審査に必要な個人情報と照合し（Ｓ７０５）、問題なければ次のステップへ進むが、カード発行できない場合は処理を中断する。
【００２１】
次のステップではカード機能の選択を行うが（Ｓ７０６）、これはタッチパネル式操作画面２０６からの入力も可能だし、手書きの申込書を読み取り部により読み取らせ文字認識処理により申し込み内容を入力しても良い。このように利用者の望むカード機能、即ち、新規ＩＣカードに付加させたい機能（クレジット、会員、サービス等）が選択されると、ＩＣカードの作成処理に進む。
【００２２】
このカード作成処理では、スタッカ部１０２より新規なＩＣカードを繰り出し（Ｓ７０７）、印字部１０４によりカードの表面（又は裏面でも可）に上記入力、選択された機能に関連する印字が施される（Ｓ７０８）。なお、この印字は会社名やロゴ、サービス名、絵、記号など利用者に何の機能がカードに入っているかを視覚的に判断できる内容であることは言うまでもない。単に、視覚的内容とも言う。
【００２３】
続いて、加工部１０８によりカード番号、日付等がエンボス加工処理され（Ｓ７０９）、上記入力、選択した種々の機能がＲ／Ｗ部１０５または１０６によって書き込まれ（Ｓ７１０，７１１）、ＩＣカードのＩＣチップ又は磁気ストライプに記憶される。以上のカード作成処理が行われた後、該当するＩＣカードを排出し（Ｓ７２０）、利用者に新規カードを手渡すことができる。
【００２４】
次にＩＣカード内容の更新時の処理について説明する。
ＩＣカードの更新処理が選択されるとそれを検知し（Ｓ７０２）、更新すべきＩＣカードの挿入を指示するガイダンスを表示部２０６に表示する。利用者が手持ちのカードを挿入口２０２に挿入するとそれを検知してＩＣカード発行機の内部に取り込む（Ｓ７１２）。ＩＣカード発行機構では挿入されたＩＣカードの利用者情報をＩＣチップ情報リードライト部１０５にて読み取り本体に送信し、ネットワークを介してサーバ３０５に格納された図９に示す利用者の機能情報を取得する。このとき、ＩＣカードのＩＣチップに記憶された各種の機能そのものを取得しても良い。
【００２５】
このように取得した情報は図８の表示画面の左側に利用者が使用できる機能を表示し、右側に追加できる機能を表示する。つまり、表示部２０６に図８に図示する機能選択表示画面を生成し、利用者にカード機能選択（追加／削除）を促す（Ｓ７１３）。
以下、利用者により機能が追加される例について説明する。図８の右側よりある特定の機能が追加指示されると、カードの表面を読み取るスキャナ（図示しない）により、カードの余白があるか否かを判断する（Ｓ７１４）。すなわち、図４〜図６に示す各カードに備わる印字部４０７に機能が印字できる余白があれば、印字部１０４にて追加すべき機能を印字し（Ｓ７１７）、余白がないときは挿入されたＩＣカードを廃棄カードスタッカ部１０３に旧カードとして回収し（Ｓ７１５）、新規カードスタッカ部１０２よりＩＣカードを発行し、旧カードに含まれていた機能と利用者により選択追加された機能とを印字部１０４によりカード表面に印字する（Ｓ７１７）。なお、カードの余白判断と共にＩＣチップの記憶容量を判断するステップを並行しても良い。つまり、図４に示すフォーマットＡのカードの場合、印字部４０７には計１０個の機能しか印字できないことから、ＩＣチップにも予め１０個のエリアを設けておき、それらが満杯になるか否かを判断する、または単に個数を示す数そのものをＩＣチップに格納しておきそれにて判断することも考えられる。
【００２６】
続いて、追加された機能に対応する、そして印字された機能に対応する情報がＲ／Ｗ部１０５，１０６によりＩＣチップまたは磁気ストライプに書き込まれ（Ｓ７１８、Ｓ７１９）、そのＩＣカードを排出する（Ｓ７２０）。なお、Ｓ７１６などの新規カードの発行において、新しい印字レイアウトにおいても印字しきれない場合や記号を小さくしたくない利用者の場合は追加のＩＣカードを作成し、旧カードと新カードの２枚を排出しても良い。また、機能の削除が選択されたときはカードに印字されている各種機能が削除される。
【００２７】
多機能ＩＣカードのカード表面にカードの利用可能な機能を表す絵記号の印字フォーマットは印字部１０４により印字処理されるが、利用可能な機能数により可変にできる。つまり、図５に図示するＩＣカードの印字部４０７が示すように、機能追加に従いエリアが無くなった場合、今まで印字されていた機能の記号や文字は小さいフォーマットとし、新規に追加された機能の記号や文字が大きくなるようなフォーマットに変更する。
【００２８】
してＩＣカード表面のレイアウトを自動的に更新していくＩＣカード発行装置およびＩＣカード管理システムを提供することにより利用者のＩＣカード機能確認の使い勝手を損なうことなく、カード表面に絵記号や文字を限られたカード表面の面積上に効率よく印字することできる。
【００２９】
【発明の効果】
以上で述べたように、多機能ＩＣカードがどのような機能を有しているかを利用者が専用の端末より内容を読み込ませること無しにカード表面に印字された記号や文字を確認することにより容易に判別できるようになる。
また、カードの更新に際して更新手続きに何日も待たずに、新しいＩＣカードをその場で発行できる。
【００３０】
また、利用者のＩＣカード機能確認の使い勝手を損なうことなく、カード表面に絵記号や文字を限られたカード表面の面積上に効率よく印字することできる。
【図面の簡単な説明】
【図１】ＩＣカード発行端末内のカード発行ユニットのハード構成を示す図。
【図２】ＩＣカード発行端末の外観を示す図。
【図３】ＩＣカード端末のネットワーク構成を示す図。
【図４】多機能ＩＣカードの表面印字レイアウトの一例。
【図５】多機能ＩＣカードの多数の記号を印字できる表面印字レイアウトの一例。
【図６】多機能ＩＣカードの多数の記号を印字できる表面印字レイアウトの一例
【図７】ＩＣカード発行端末の動作フロチャートの一例。
【図８】ＩＣカード発行端末のカード機能選択画面。
【図９】サーバで管理されるカード情報を示す表。
【符号の説明】
１０１…カード発行機構，１０２…新規カードスタッカ部，１０３…廃棄カードスタッカ部，１０４…カード表面印字部，１０５…ＩＣチップ情報リードライト部，１０６…磁気情報リードライト部，１０７…カード搬送路，１０８…エンボス加工部，１０９…ＩＣカード，２０１…カード発行装置本体，２０２…カード挿入口，２０３…ステートメント発行口，２０４…証明書読み取り部，２０５…個人証明書置き場，２０６…タッチパネル式操作画面，３０１…カード受付端末，３０２…清算機，３０３…ＡＴＭ，３０４…発券機，３０５…サーバ，３０６…ネットワーク回線，３０７…カード発行装置，４０１…ＩＣカード表面，４０２…ＩＣチップ，４０３…カード名，４０４…カード番号，４０５…カード有効期限，４０６…氏名欄，４０７…オプション機能印字部
【図１】
2004302719.tif 000003
【図２】
2004302719.tif 000004
【図３】
2004302719.tif 000005
【図４】
2004302719.tif 000006
【図５】
2004302719.tif 000007
【図６】
2004302719.tif 000008
【図７】
2004302719.tif 000009
【図８】
2004302719.tif 000010
【図９】
2004302719.tif 000011